(57)【特許請求の範囲】
【請求項１】
乗場で行先階を指定してエレベータの乗りかごを呼ぶ乗場行先階呼びを登録する乗場行先階呼び登録装置と、行先階の方向を指定して前記エレベータの乗りかごを呼ぶ上下呼びを登録する上下呼び登録装置とを備え、前記乗場行先階呼び又は上下呼びが登録された場合に当該呼びを、バンク内の所望の号機に割当てて応答させる群管理制御装置が実行する乗場呼び登録方式切替え方法であって、
外部からの切替え操作又は前記エレベータの需要に基づき、乗場呼び登録方式の切替え指令を出力し、
前記切替え指令が出力された場合に、バンク内の既登録の乗場呼びが有るか否かを判定し、
既登録の乗場呼びが有ると判定された場合には、前記バンク内の号機から既登録の乗場呼びの割当てが最も少ない号機を選定号機とし、
前記選定号機の既割当てを前記バンク内の他号機へ割当て変更し、
割当て変更された既登録乗場呼びが乗場行先階呼びであった場合には前記選定号機の乗場行先階表示装置から割当て変更先号機の乗場行先階表示装置へ行先階情報を変更し、
前記既登録乗場呼びが割当て変更された後、上下呼び登録方式へ前記乗場呼び登録方式を切替える、
乗場呼び登録方式切替え方法。
【請求項２】
前記乗場呼び登録方式が切替えられた後、前記各号機の切替え前の前記既登録乗場呼びを確認し、
前記既登録乗場呼び割当てが無くなった号機を前記切替え後の乗場呼びの割当て対象号機とする、
請求項１に記載の乗場呼び登録方式切替え方法。
【請求項３】
前記乗場行先階呼びが割当てられた場合に、前記行先階を前記乗場に設置された行先階表示装置に表示させる、
請求項１又は２に記載の乗場呼び登録方式切替え方法。
【請求項４】
乗場で行先階を指定してエレベータの乗りかごを呼ぶ乗場行先階呼びを登録する乗場行先階呼び登録装置と、行先階の方向を指定して前記エレベータの乗りかごを呼ぶ上下呼びを登録する上下呼び登録装置とに接続され、前記乗場行先階呼び又は上下呼びが登録された場合に当該呼びを、バンク内の所望の号機に割当てて応答させる群管理制御装置であって、
外部からの切替え操作又は前記エレベータの需要に基づき、乗場呼び登録方式の切替え指令を出力する切替え指令出力手段と、
前記切替え指令が出力された場合に、バンク内の既登録の乗場呼びが有るか否かを判定する既登録乗場呼び判定手段と、
既登録の乗場呼びが有ると判定された場合には、前記バンク内の号機から既登録の乗場呼びの割当てが最も少ない号機を選定号機とする既割当て最小号機選定手段と、
前記選定号機の既割当てを前記バンク内の他号機へ割当て変更する既登録乗場呼び割当て変更手段と、
割当て変更された既登録乗場呼びが乗場行先階呼びであった場合には前記選定号機の乗場行先階表示装置から割当て変更先号機の乗場行先階表示装置へ行先階情報を変更する乗場行先階表示変更手段と、
前記既登録乗場呼びが割当て変更されると、前記乗場呼び登録方式を切替える乗場呼び登録方式切替え制御手段と、
前記乗場呼び登録方式が切替えられた後、前記各号機の切替え前の前記既登録乗場呼びを確認し、前記既登録乗場呼び割当てが無くなった号機を前記切替え後の乗場呼びの割当て対象号機とする切替え後乗場呼び割当て対象号機選定手段と、
を備える群管理制御装置。
【発明の詳細な説明】
【技術分野】
【０００１】
本発明の実施形態は、乗場呼び登録方式切替え方法及び群管理制御装置に関する。
【背景技術】
【０００２】
群管理されたエレベータでは、建屋の入り口付近に乗場呼び登録装置（「乗場行先階登録装置」とも称する）を設け、入場を許可された利用者に対して割当てられた乗りかご情報を報知するエレベータシステムがある。また、各号機エレベータの乗場には、号機毎に上下呼び登録装置を設けたエレベータシステムもある。
【０００３】
乗場呼び登録装置と上下呼び登録装置の両方の乗場呼び登録方式を備えたエレベータシステムでは、切替えスイッチによって切替えたり、時間帯や利用者数によって自動で切替えたりする。
【０００４】
行先階呼びは、呼び登録個数から乗降者数を計算し、利用者に乗車号機を指定する。これに対して、上下呼びでは、乗降者数が不確定であり、上下呼び利用者と行先階呼び利用者とが同一号機に乗り合わせると、行先階呼び利用者が指定号機に乗り込むことができないケースが発生する。
【０００５】
このため、従来、乗場呼び登録方式の切替え時に、既登録の乗場呼びがある場合、切替え前の乗場呼びが全て無くなった後に切替えるのが一般的である。
【先行技術文献】
【特許文献】
【０００６】
【特許文献１】特開２０１３−０５２９５２号公報
【特許文献２】特開２０１６−１４１５５８号公報
【発明の概要】
【発明が解決しようとする課題】
【０００７】
しかし、既登録の乗場呼びが全て無くなるのを待つ場合、状況によっては切替えに時間を要するため、意図したタイミングで乗場呼び登録方式の切替えができないという課題がある。
【０００８】
本発明は上記事情に鑑み、利用者の利便性を確保しつつ、意図したタイミングで乗場呼び登録方式を切替えることができる乗場呼び登録方式切替え方法及び群管理制御装置を提供することを目的とする。
【課題を解決するための手段】
【０００９】
上記の目的を達成するための態様は、乗場で行先階を指定してエレベータの乗りかごを呼ぶ乗場行先階呼びを登録する乗場行先階呼び登録装置と、行先階の方向を指定して前記エレベータの乗りかごを呼ぶ上下呼びを登録する上下呼び登録装置とを備え、前記乗場行先階呼び又は上下呼びが登録された場合に当該呼びを、バンク内の所望の号機に割当てて応答させる群管理制御装置が実行する乗場呼び登録方式切替え方法であって、外部からの切替え操作又は前記エレベータの需要に基づき、乗場呼び登録方式の切替え指令を出力し、前記切替え指令が出力された場合に、バンク内の既登録の乗場呼びが有るか否かを判定し、既登録の乗場呼びが有ると判定された場合には、前記バンク内の号機から既登録の乗場呼びの割当てが最も少ない号機を選定号機とし、前記選定号機の既割当てを前記バンク内の他号機へ割当て変更し、割当て変更された既登録乗場呼びが乗場行先階呼びであった場合には前記選定号機の乗場行先階表示装置から割当て変更先号機の乗場行先階表示装置へ行先階情報を変更し、前記既登録乗場呼びが割当て変更された後、上下呼び登録方式へ前記乗場呼び登録方式を切替える乗場呼び登録方式切替え方法である。
【００１０】
また、他の態様は、乗場で行先階を指定してエレベータの乗りかごを呼ぶ乗場行先階呼びを登録する乗場行先階呼び登録装置と、行先階の方向を指定して前記エレベータの乗りかごを呼ぶ上下呼びを登録する上下呼び登録装置とに接続され、前記乗場呼び又は上下呼びが登録された場合に当該呼びを、バンク内の所望の号機に割当てて応答させる群管理制御装置であって、外部からの切替え操作又は前記エレベータの需要に基づき、乗場呼び登録方式の切替え指令を出力する切替え指令出力手段と、前記切替え指令が出力された場合に、バンク内の既登録の乗場呼びが有るか否かを判定する既登録乗場呼び判定手段と、既登録の乗場呼びが有ると判定された場合には、前記バンク内の号機から既登録の乗場呼びの割当てが最も少ない号機を選定号機とする既割当て最小号機選定手段と、前記選定号機の既割当てを前記バンク内の他号機へ割当て変更する既登録乗場呼び割当て変更手段と、割当て変更された既登録乗場呼びが乗場行先階呼びであった場合には前記選定号機の乗場行先階表示装置から割当て変更先号機の乗場行先階表示装置へ前記行先階情報を変更する乗場行先階表示変更手段と、前記既登録乗場呼びが割当て変更されると、前記乗場呼び登録方式を切替える乗場呼び登録方式切替え制御手段と、前記乗場呼び登録方式が切替えられた後、前記各号機の切替え前の前記既登録乗場呼びを確認し、前記既登録乗場呼び割当てが無くなった号機を前記切替え後の乗場呼びの割当て対象号機とする切替え後乗場呼び割当て対象号機選定手段と、を備える群管理制御装置である。
【図面の簡単な説明】
【００１１】
【図１】乗場呼び登録方式切替え方法及び群管理制御装置の実施形態の構成を示すブロック図。
【図２】乗場呼び登録方式切替え方法及び群管理制御装置の実施形態の処理手順を示すフローチャート。
【図３】乗場呼び登録方式切替え方法及び群管理制御装置の実施形態の動作を示す説明図。
【発明を実施するための形態】
【００１２】
《実施形態の構成》
図１は乗場呼び登録方式切替え方法及び群管理制御装置の実施形態が適用されるエレベータ制御システム１００の構成を示すブロック図である。
【００１３】
図１に示すように、エレベータ制御システム１００は、群管理制御装置１０と、この群管理制御装置１０の制御下において、Ａ号機制御装置３０Ａと、Ｂ号機を制御するＢ号機制御装置３０Ｂと、Ｃ号機を制御するＣ号機制御装置３０Ｃとを備えている。Ａ号機制御装置３０Ａは乗りかご４０Ａの運転制御を、Ｂ号機制御装置３０Ｂは乗りかご４０Ｂの運転制御を、Ｃ号機を制御するＣ号機制御装置３０Ｃは乗りかご４０Ｃの運転制御を実行する。
【００１４】
また、基準階（例えば、１階）には、乗場行先階登録装置５０が設置されており、他階の乗場には、上下呼びボタン６０，７０が設置されている。
【００１５】
群管理制御装置１０は、割当て制御部１１と、割当て指令出力部１２と、乗場呼び登録方式切替え判定部１３とを備えている。割当て制御部１１は、行先呼び割当て制御部１４と、上下呼び割当て制御部１５とから構成されている。
【００１６】
各号機制御装置３０Ａ，３０Ｂ，３０Ｃは同一の機能構成を有しており、それぞれ、割当て応答制御部３１と、エレベータ情報出力部３２と、かご呼び登録部３３と、上下呼び登録部３４とを備えている。
【００１７】
割当て制御部１１の行先呼び割当て制御部１４は、乗場行先階登録装置５０からの行先呼び登録情報と各エレベータのエレベータ情報出力部３２からの上下呼び情報を含む応答情報、かご方向性、かご荷重等の各エレベータ情報と、エレベータの需要情報とから各エレベータを評価し、登録された行先階呼び毎に最適な割当て号機を決定する。
【００１８】
割当て制御部１１の上下呼び割当て制御部１５は、上下呼びボタン６０，７０で登録された上下呼び情報と各エレベータのエレベータ情報出力部３２からの各エレベータ情報とから、各エレベータを評価し、最適な上下呼び割当て号機を決定する。
【００１９】
割当て指令出力部１２は、行先呼び割当て制御部１４と上下呼び割当て制御部１５からの割当て号機情報に基づき、各エレベータへ割当て指令を出力する。また、割当て号機情報が行先呼び割当て制御部１４から入力された場合は割当て号機へ行先階登録指令を出力する。
【００２０】
実施形態の群管理制御装置１０において、乗場呼び登録方式切替え判定部１３は、コンピュータのソフトウェア機能として、外部からの切替え操作又はエレベータの需要に基づき、乗場呼び登録方式の切替え指令を出力する切替え指令出力手段を有する。また、切替え指令が出力された場合に、バンク内の既登録の乗場呼びが有るか否かを判定する既登録乗場呼び判定手段を有する。また、既登録の乗場呼びが有ると判定された場合には、バンク内の号機から既登録の乗場呼びの割当てが最も少ない号機を選定号機とする既割当て最小号機選定手段を有する。また、選定号機の既割当てをバンク内の他号機へ割当て変更する既登録乗場呼び割当て変更手段を有する。また、割当て変更された既登録乗場呼びが乗場行先階呼びであった場合には選定号機の乗場行先階表示装置から割当て変更先号機の乗場行先階表示装置へ行先階情報を変更する乗場行先階表示変更手段を有する。また、既登録乗場呼びが割当て変更されると、乗場呼び登録方式を切替える乗場呼び登録方式切替え制御手段を有する。更に、乗場呼び登録方式が切替えられた後、各号機の切替え前の既登録乗場呼びを確認し、既登録乗場呼び割当てが無くなった号機を切替え後の乗場呼びの割当て対象号機とする切替え後乗場呼び割当て対象号機選定手段を有する。
【００２１】
各号機制御装置３０Ａ，３０Ｂ，３０Ｃの割当て応答制御部３１は、割当て指令出力部１２からの割当て指令により各エレベータを乗場行先階呼び又は上下呼びの登録階へ応答させ、戸開させる。
【００２２】
エレベータ情報出力部３２は、上下呼び情報を含む応答情報、かご方向性、かご荷重等の各エレベータ情報を群管理制御装置１０に出力する。
【００２３】
かご呼び登録部３３は、群管理制御装置１０の割当て指令出力部１２からの行先階登録指令に基づき行先階のかご呼びを登録する。
【００２４】
上下呼び登録部３４は、上下呼びボタン６０，７０からの上下呼び情報を登録する。
【００２５】
《実施形態の処理手順》
以下、第1実施形態のエレベータ制御システム１００の処理手順を図２のフローチャートに基づいて説明する。
【００２６】
図２に示すように、先ず、乗場呼び登録方式の切替え条件が成立するか否かを判定する（ステップＳ１）。
【００２７】
乗場呼び方式の切替え条件が成立すると、次にバンク内に既登録の乗場呼びが有るか否かを判定する（ステップＳ２）。
【００２８】
バンク内に既登録の乗場呼びが有る場合には、バンク内の全号機に既登録の乗場呼びの割当てが有るか否かを判定する（ステップＳ３）。
【００２９】
全号機に既登録の乗場呼びが割当てられている場合には、既登録乗場呼びの割当て最小号機を選定する（ステップＳ４）。
【００３０】
次いで、選定された号機の割当てを他号機に割当て変更する（ステップＳ５）。
【００３１】
次いで、割当て変更した乗場呼びは行先階呼びで有るか否かを判定する（ステップＳ６）。
【００３２】
乗場呼びが行先階呼びで有れば、乗場行先階表示を変更する（ステップＳ７）。その後、乗場呼び登録方式を切替える（ステップＳ８）。
【００３３】
バンク内に既登録の乗場呼びが無い場合（ステップＳ２NO）、バンク内の一部の号機に既登録の乗場呼びの割当てが有る場合（ステップＳ３NO）、割当て変更した乗場呼びが行先呼びで無い場合（ステップＳ６NO）にも乗場呼び登録方式を切替える（ステップＳ８）。
【００３４】
乗場呼び登録方式が切替えられると、ステップＳ９〜Ｓ１０の号機ループ処理が開始される。すなわち、乗場呼び登録方式が切替えられた当該号機に切替え前の乗場呼び登録方式による割当てが無いか否かを判定する（ステップＳ１０）。
【００３５】
当該号機に切替え前の乗場呼び登録方式の割当てが無い場合には、当該号機を切替え後の乗場呼び割当て対象号機とする（ステップＳ１１）。
【００３６】
ステップＳ９〜Ｓ１２の号機ループにより、全号機が切替え後の乗場呼び対象号機となった場合には、乗場呼び登録方式の切替え処理を終了する（ステップＳ１３YES）。
【００３７】
以上の処理を図３に示す模式図を用いて具体的に説明する。
【００３８】
図３に示す例は、行先階呼びから上下呼びに切替える際、全号機（Ａ号機、Ｂ号機、Ｃ号機）に既登録乗場呼びの割当てが有るケースを想定している。
【００３９】
今、図３（１）に示すように、Ａ号機には、６階と８階、Ｂ号機には５階と７階、Ｃ号機には３階の乗場行先階呼びが割当てられている。それぞれの行先階表示パネル８０Ａ，８０Ｂ，８０Ｃには行先階を示す数字が表示されている。この状態では、上下呼びボタン６０，７０からの上下呼びは受付けていない。
【００４０】
乗場呼び登録方式の切替え時には、（処理１）として、先ず、行先階呼び割当てが最小であるＣ号機の乗場行先階呼びを割当て変更する。Ｃ号機の割当ては３階であるので、３階をＢ号機に割当てる。次いで、（処理２）として、Ｃ号機の行先階表示パネル８０Ｃから乗場行先階表示を消し、Ｂ号機の行先階表示パネル８０Ｂの乗場行先階呼びに３階を追加表示する。この状態では、（処理３）に示すように、利用者が上下呼びボタン６０，７０から上下呼び登録が可能となる。利用者から上下呼びが登録されると、（処理４）に示すように、乗場行先階呼びの割当てが無いＣ号機に上下呼びが割当てられる。そして、（処理５）に示すように、上下呼び割当て号機であるＣ号機のホールランタン９０Ｃが点灯し、上下呼びが割当てられた旨が利用者に報知される。
【００４１】
このように、本実施形態によれば、利用者の利便性を確保しつつ、意図したタイミングで即座に乗場呼び登録方式を切り替えることができる。また、需要に即して割当てを切替えるので、輸送効率を向上させることができる。
【００４２】
なお、乗場行先階呼びから上下呼びに切替え時において、割当て変更元の号機の割当てを全て割当て可能な他の号機が有る場合には、当該号機を割当て変更先号機に選定することもできる。この場合には、割当て変更先の号機を１つの号機に定めることができるので、利用者にとっては、変更状況を分かり易くなり、利用者の利便性が一層向上することとなる。
【００４３】
また、乗場行先階割当て号機と上下呼び割当て号機とが混在する場合、乗場において切替え後の乗場呼びの割当て対象号機を表示する。これにより、利用者は、どの割当て号機に乗ったらよいか迷うことがないので、利用者の利便性が一層向上することとなる。
【００４４】
また、既登録の乗場呼びの割当てが無い号機があっても、その乗りかごが満員の場合には、他に割当ての無い号機を作り、切替え後の乗場呼びを確実に割り当てることができるようにしてもよい。
【００４５】
さらに、上記実施形態では、需要に応じて割当てを切替えるようにした。しかし、外部から切替えスイッチにより、割当て指令出力部１２に対して切替え指令を出力するように構成してもよい。また、タイマー設定により、時間帯により、割当て指令出力部１２に対して切替え指令を出力するように構成してもよい。
【００４６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１００…エレベータ制御システム、１０…群管理制御装置、１１…割当て制御部、１２…割当て指令出力部、１３…乗場呼び登録方式切替え判定部、３０Ａ…Ａ号機制御装置、３０Ｂ…Ｂ号機制御装置、３０Ｃ…Ｃ号機制御装置、３１…割当て応答制御部、３２…エレベータ情報出力部、３３…かご呼び登録部、３４…上下呼び登録部、４０Ａ，４０Ｂ，４０Ｃ…乗りかご、５０…乗場行先階登録装置、６０，７０…上下呼びボタン、８０Ａ，８０Ｂ，８０Ｃ…行先階表示パネル、９０Ａ，９０Ｂ，９０Ｃ…ホールランタン
【要約】
【課題】  利用者の利便性を確保しつつ、意図したタイミングで乗場呼び登録方式を切替えることができる。
【解決手段】  外部からの切替え操作又はエレベータの需要に基づき、乗場呼び登録方式の切替え指令を出力し、切替え指令が出力された場合に、バンク内の既登録の乗場呼びが有るか否かを判定し、既登録の乗場呼びが有ると判定された場合には、バンク内の号機から既登録の乗場呼びの割当てが最も少ない号機を選定号機し、選定号機の既割当てをバンク内の他号機へ割当て変更し、割当て変更された既登録乗場呼びが乗場行先階呼びであった場合には選定号機の乗場行先階表示装置から割当て変更先号機の乗場行先階表示装置へ行先階情報を変更し、既登録乗場呼びが割当て変更された後、上下呼び登録方式へ乗場呼び登録方式を切替える。
【選択図】図１【図１】
0006972259.tif 000002
【図２】
0006972259.tif 000003
【図３】
0006972259.tif 000004